(57)【要約】【課題】既成カーテンの吊り下げ丈を従来よりも自由に調整できる技術手段を提供する。【解決手段】カーテンバランス２０の上縁を支持するバランス支持部１１と、カーテンレール３０のランナー３１に係合するランナー係合部１２と、既成カーテン４０の上縁を吊り下げる吊下部１３とを設け、吊下部１３の上下方向の位置を調整可能とした。【選択図】図２
2019181034.tif 000002
【特許請求の範囲】
【請求項１】
カーテンバランスの上縁を支持するバランス支持部と、カーテンレールのランナーに係合するランナー係合部と、既成カーテンの上縁を吊り下げる吊下部と備え、前記吊下部の上下方向の位置が調整可能である、カーテン吊下器具。
【請求項２】
前記吊下部を上下方向に移動可能に保持する保持部材を備える、請求項１に記載のカーテン吊下器具。
【請求項３】
保持部材はベルト状をしており、このベルト状の保持部材は、そのベルト面がカーテンバランスの裏面と直交するように形成されている、請求項２に記載のカーテン吊下器具。
【請求項４】
前記保持部材は、その下端部に前記吊下部が下方に抜けるのを防止するストッパーを有する、請求項２又は３に記載のカーテン吊下器具。
【請求項５】
前記バランス支持部は、前記カーテンバランスの上縁に突き当たる突起を有する、請求項１から４のいずれかに記載のカーテン吊下器具。
【請求項６】
前記ランナー係合部の上下方向の位置が調整可能である、請求項１から５のいずれかに記載のカーテン吊下器具。
【請求項７】
請求項１から６のいずれかに記載のカーテン吊下器具と、前記カーテン吊下器具のバランス支持部で上縁を支持されているカーテンバランスと、前記カーテン吊下器具の吊下部で上縁を吊り下げられている既成カーテンとを備えている、カーテンセット。
【請求項８】
前記カーテンバランスは、前記吊下部を下限位置としたときに、前記既成カーテンの上縁が隠れるような長さを有する、請求項７に記載のカーテンセット。
【発明の詳細な説明】
【技術分野】
【０００１】
本発明は、既成カーテンの吊り下げ丈を調整するためのカーテン吊下器具とそれを用いて構成されるカーテンセットに関する。
【背景技術】
【０００２】
既成カーテンの吊り下げ丈を調整するためのカーテン吊下器具として、本発明者らは特許文献１において、カーテンの上縁を支持する支持部と、カーテン案内部材に係合する係合部と、該カーテンの鉛直方向の途中を保持するための保持部とを有するカーテン吊下器具を開示した。
このカーテン吊下器具によれば、保持部でカーテンの鉛直方向の途中を保持することにより、既成カーテンの吊り下げ丈の調整幅を大きくできる。
【０００３】
しかし、このカーテン吊下器具は、保持部でカーテンの鉛直方向の途中を保持することにより既成カーテンの吊り下げ丈を調整するものであるから、吊り下げ丈を短くすることはできるものの、吊り下げ丈を長くすることはできない。
また、このカーテン吊下器具は、保持部でカーテンの鉛直方向の途中を保持することから、カーテンの裏面にカーテンが折り返されたような折返し部が生じ、この折返し部にホコリ等が溜りやすいという問題がある。更に、このカーテン吊下器具を用いたカーテンの裏側にレースカーテンを設置している場合、このカーテンを開閉する際に前記の折返し部がレースカーテンと干渉して、このレースカーテンも開閉されるといった問題もある。
【先行技術文献】
【特許文献】
【０００４】
【特許文献１】特開２００３−２３０４８０号公報
【発明の概要】
【発明が解決しようとする課題】
【０００５】
本発明が解決しようとする課題は、既成カーテンの吊り下げ丈を従来よりも自由に調整できる技術手段を提供することにある。
【課題を解決するための手段】
【０００６】
本発明の一観点によれば、次のカーテン吊下器具が提供される。
カーテンバランスの上縁を支持するバランス支持部と、カーテンレールのランナーに係合するランナー係合部と、既成カーテンの上縁を吊り下げる吊下部と備え、前記吊下部の上下方向の位置が調整可能である、カーテン吊下器具。
【０００７】
本発明の他の観点によれば、前記本発明のカーテン吊下器具と、前記カーテン吊下器具のバランス支持部で上縁を支持されているカーテンバランスと、前記カーテン吊下器具の吊下部で上縁を吊り下げられている既成カーテンとを備えている、カーテンセットが提供される。
【発明の効果】
【０００８】
本発明のカーテン吊下器具によれば、既成カーテンの上縁を吊り下げる吊下部の上下方向の位置が調整可能であるので、既成カーテンの吊り下げ丈を従来よりも自由に調整できる。
また、本発明のカーテン吊下器具によれば、既成カーテンに前述のような折返し部は生じないので、ホコリ等が溜りやすいという問題やレースカーテンと干渉するといった問題は生じない。
【０００９】
更に、本発明のカーテンセットによれば、前記カーテン吊下器具により既成カーテン（カーテンセット）の吊り下げ丈を従来よりも自由に調整できると共に、カーテンバランスにより高級感を付与することができる。
【図面の簡単な説明】
【００１０】
【図１】本発明の一実施形態であるカーテン吊下器具を示し、（ａ）は全体の側面図、（ｂ）は（ａ）のＡ−Ａ矢視図、（ｃ）は（ａ）のＢ−Ｂ矢視図。
【図２】図１のカーテン吊下器具を用いて構成されたカーテンセットを示す概略側面図。
【発明を実施するための形態】
【００１１】
図１に本発明の一実施形態であるカーテン吊下器具を示し、図２にこのカーテン吊下器具を用いて構成されたカーテンセットを示している。
このカーテン吊下器具１０は例えばナイロン等の樹脂からなり、カーテンバランス２０の上縁を支持するバランス支持部１１と、カーテンレール３０のランナー３１に係合するランナー係合部１２と、既成カーテン４０の上縁を吊り下げる吊下部１３とを備える。
【００１２】
この実施形態においてバランス支持部１１は略Ｕ字状（略鰐口状）に形成されており、この略Ｕ字状（略鰐口状）のバランス支持部１１でカーテンバランス２０の上縁であるヒダ部（ツマミ）を挟み込むようにして下方から支持する。また、このバランス支持部１１は、カーテンバランス２０の上縁に突き当たる突起１１ａを有する。この突起１１ａにより、バランス支持部１１がカーテンバランス２０の上縁から下方に抜けにくくなる。
【００１３】
この実施形態においてランナー係合部１２は、略Ｕ字状（略鰐口状）のバランス支持部１１の一辺１１ｂに、上下方向の位置が調整可能に装着されている。すなわち、このランナー係合部１２は、バランス支持部１１の一辺１１ｂに対してアジャスター機構を介して、上下方向の位置が調整可能に装着されている。また、このランナー係合部１２は略逆Ｕ字状に形成されており、この略逆Ｕ字状のランナー係合部１２は、カーテンレール３０のランナー３１に引っ掛けることでランナー３１に係合する。
【００１４】
この実施形態において吊下部１３は、バランス支持部１１の下端から下方に伸びるベルト状の保持部材１４に、上下方向の位置が調整可能に装着されている。すなわち、この吊下部１３は、ベルト状の保持部材１４に対してアジャスター機構を介して、上下方向の位置が調整可能に装着されている。
また、この吊下部１３は、ベルト状の保持部材１４に装着されるベース部材１３ａと、ベース部材１３ａから斜め下方に伸びる板状の吊下部材１３ｂとからなり、吊下部材１３ｂに、既成カーテン４０の上縁のフック４１と係合する係合孔１３ｃが設けられている。すなわち、この吊下部１３は、係合孔１３ｃが既成カーテン４０の上縁のフック４１と係合することで、既成カーテン４０の上縁を吊り下げる。このとき、吊下部材１３ｂはベース部材１３ａから斜め下方、言い換えれば、ベース部材１３ａ及び保持部材１４から離れる方向に伸びているから、吊下部材１３ｂの係合孔１３ｃに既成カーテン４０の上縁のフック４１を係合させやすい。
なお、吊下部１３が既成カーテン４０の上縁を吊り下げる構成は、この実施形態には限定されず、例えば既成カーテン４０の上縁を、フックを用いずに直接吊り下げるようにしてもよい。
【００１５】
ベース部材１３ａにはロック部材１３ｄが設けられている。このロック部材１３ｄは、ベルト状の保持部材１４のべルト面１４ａと選択的に係合することで、保持部材１４に対するベース部材１３ａ（吊下部１３）の上下方向の位置を調整する。この実施形態では、保持部材１４のべルト面１４ａには複数の突条１４ｂが上下方向に等間隔で設けられており、これらの突条１４ｂにロック部材１３ｄが選択的に係合する。すなわち、ロック部材１３ｄを図１（ｂ）において矢印方向に押し込むと、ロック部材１３ｄと突条１４ｂとの係合が外れ、ベース部材１３ａ（吊下部１３）はベルト面１４ａに沿って上下方向に移動自在となる。そして、ベース部材１３ａ（吊下部１３）の上下方向の位置を所望の位置に調整した後、ロック部材１３ｄを元に戻せばロック部材１３ｄが突条１４ｂと係合し、ベース部材１３ａ（吊下部１３）はその上下方向の位置に固定（ロック）される。
【００１６】
保持部材１４の下端部には、ベース部材１３ａ（吊下部１３）が下方に抜けるのを防止するストッパー１４ｃが設けられている。このストッパー１４ｃは保持部材１４のベルト面１４ａをカエリ状に加工して形成したもので（図１（ｃ）参照）、保持部材１４の下端からベース部材１３ａ（吊下部１３）を装着することは可能であるが、一旦ベース部材１３ａ（吊下部１３）を装着すると、このベース部材１３ａ（吊下部１３）が下方に抜けるのを防止する。
【００１７】
ここでこの実施形態では、保持部材１４のベルト面１４ａは、カーテンバランス２０の裏面と直交するように形成されている。これにより、カーテンバランス２０が例えばレース地であったとしても、このカーテンバランス２０の正面からは保持部材１４のベルト面１４ａは見えないので美観が損なわれることはない。同様に、ロック部材１３ｄも上下方向に沿うように設けて、カーテンバランス２０の正面からは目立たないようにしている。
【００１８】
次に、このカーテン吊下器具１０を用いて図２に示すようなカーテンセットを構成する方法の一実施形態ついて説明する。
まず、カーテン吊下器具１０のバランス支持部１１でカーテンバランス２０の上縁を支持し、この状態でランナー係合部１２をカーテンレール３０のランナー３１に係合する。その後、吊下部１３の吊下部材１３ｂの係合孔１３ｃに既成カーテン４０の上縁のフック４１を引っ掛けることで、この既成カーテン４０の上縁を吊下部１３で吊り下げる。
ここで、既成カーテン４０の上縁を吊下部１３で吊り下げた後に、ランナー係合部１２をカーテンレール３０のランナー３１に係合するようにしてもよいが、この場合、バランス支持部１１がカーテンバランス２０の上縁から下方に抜けやすくなるので、ランナー係合部１２をカーテンレール３０のランナー３１に係合させた後に、既成カーテン４０の上縁を吊下部１３で吊り下げるようにすることが好ましい。なお、この実施形態では、前者の方法であってもバランス支持部１１がカーテンバランス２０の上縁から下方に抜けにくくするために、前述のとおりバランス支持部１１に、カーテンバランス２０の上縁に突き当たる突起１１ａを設けている。
【００１９】
この既成カーテン４０（カーテンセット）の吊り下げ丈の調整は、吊下部１３の上下方向の位置を調整することにより行う。この吊り下げ丈の調整代は保持部材１４の長さによって決まり、この実施形態では保持部材１４の長さは２０ｃｍであるから、吊り下げ丈の調整代も２０ｃｍである。なお、既成カーテン４０の正味の吊り下げ丈は、バランス支持部１１等の長さ分、長くなり、この実施形態では、例えば高さ２００ｃｍの既成カーテンの場合、正味の吊り下げ丈は２１０〜２３０ｃｍに調整できる。このように、カーテン吊下器具１０を用いることにより、既成カーテンの吊り下げ丈を従来よりも自由に調整できる。なお、既成カーテン４０の上縁には、図２に表れているように公知のアジャスター機構を設けることもでき、このアジャスター機構により補助的に吊り下げ丈の調整を行うこともできる。
そして、このカーテン吊下器具１０によれば、既成カーテンに前述のような折返し部は生じないので、ホコリ等が溜りやすいという問題やレースカーテンと干渉するといった問題は生じない。
【００２０】
更に、この実施形態のカーテンセットによれば、カーテン吊下器具１０により既成カーテン（カーテンセット）の吊り下げ丈を従来よりも自由に調整できると共に、カーテンバランス２０により高級感を付与することができる。なお、カーテンバランス２０により高級感を付与する点から、カーテンバランス２０は、吊下部１３を下限位置としたときに、既成カーテン４０の上縁が隠れるような長さを有することが好ましい。このようにすればば、例えば既成カーテン４０が１．５倍ヒダ二ツ山であっても、２倍ヒダ三ツ山のカーテンバランス２０を用いることで、カーテンセット全体としては２倍ヒダ三ツ山に見え、より高級感を付与することができる。
【符号の説明】
【００２１】
１０  カーテン吊下器具
１１  バランス支持部
１１ａ  突起
１１ｂ  バランス支持部の一辺
１２  ランナー係合部
１３  吊下部
１３ａ  ベース
１３ｂ  吊下部材
１３ｃ  係合孔
１３ｄ  ロック部材
１４  保持部材
１４ａ  ベルト面
１４ｂ  突条
１４ｃ  ストッパー
２０  カーテンバランス
３０  カーテンレール
３１  ランナー
４０  既成カーテン
４１  フック
【図１】
2019181034.tif 000003
【図２】
2019181034.tif 000004